(57)【要約】【課題】電子機器に給電を行う際に、バッテリアダプタ自体の動作の安全性を保障するようにする。【解決手段】バッテリアダプタ１５０は、少なくとも１つのバッテリ１６７、１６８が装着されて、当該バッテリから電子機器１００に電源を供給する。アダプタマイコン１５１はバッテリに係るバッテリ情報を確認してバッテリ確認結果を得て、当該バッテリ確認結果が予め設定された基準を満たすか否かを判定する。そして、アダプタマイコンは判定結果に応じてバッテリアダプタの動作が安全であるかを決定する。【選択図】図１
2019161895.tif 000002
【特許請求の範囲】
【請求項１】
少なくとも１つのバッテリが装着されて、前記バッテリから電子機器に電源を供給するバッテリアダプタであって、
前記バッテリに係るバッテリ情報を確認してバッテリ確認結果を得る確認手段と、
前記確認手段によって得られたバッテリ確認結果が予め設定された基準を満たすか否かを判定する判定手段と、
前記判定手段による判定結果に応じて前記バッテリアダプタの動作が安全であるかを決定する決定手段と、
を有することを特徴とするバッテリアダプタ。
【請求項２】
前記バッテリ確認結果を前記電子機器に送信する送信手段を有することを特徴とする請求項１に記載のバッテリアダプタ。
【請求項３】
前記バッテリを充電する充電手段と、
前記バッテリ確認結果に応じて前記充電手段による前記バッテリの充電を行うか否かを判断する判断手段と、を有することを特徴とする請求項１又は２に記載のバッテリアダプタ。
【請求項４】
前記判定手段による判定結果が前記基準を満たさない場合、警告を報知する報知手段を有することを特徴とする請求項１乃至３のいずれか１項に記載のバッテリアダプタ。
【請求項５】
前記バッテリを識別する固有情報を前記バッテリから取得する取得手段と、
前記固有情報と当該固有情報に対応づけて前記確認結果とを記憶するアダプタ記憶手段と、
前記バッテリアダプタにバッテリが装着された際、前記取得手段で取得された固有情報が前記記憶手段に記憶されていると、当該装着されたバッテリについては、前記確認手段、前記判定手段、および前記決定手段による処理を行わないように制御する制御手段と、を有することを特徴とする請求項１乃至４のいずれか１項に記載のバッテリアダプタ。
【請求項６】
前記電子機器には、前記バッテリアダプタが前記電子機器に接続された際に、当該バッテリアダプタに係る情報を確認してアダプタ確認結果を得る本体確認手段が備えられていることを特徴とする請求項３に記載のバッテリアダプタ。
【請求項７】
前記判断手段は、前記電子機器から前記アダプタ確認結果を受け、前記バッテリ確認結果に加えて前記アダプタ確認結果に基づいて前記充電手段による前記バッテリの充電を行うか否かを判断することを特徴とする請求項６に記載のバッテリアダプタ。
【請求項８】
前記判定手段による判定結果が前記基準を満たさない場合および前記アダプタ確認結果が前記電子機器に適合しない旨を示している場合の少なくとも一方であると、警告を報知する報知手段を有することを特徴とする請求項７に記載のバッテリアダプタ。
【請求項９】
前記電子機器には、前記バッテリアダプタから前記固有情報を受けて記憶する本体記憶手段が備えられていることを特徴とする請求項５に記載のバッテリアダプタ。
【請求項１０】
少なくとも１つのバッテリが装着されて、前記バッテリから電子機器に電源を供給するバッテリアダプタの制御方法であって、
前記バッテリに係るバッテリ情報を確認してバッテリ確認結果を得る確認ステップと、
前記確認ステップで得られたバッテリ確認結果が予め設定された基準を満たすか否かを判定する判定ステップと、
前記判定ステップによる判定結果に応じて前記バッテリアダプタの動作が安全であるかを決定する決定ステップと、
を有することを特徴とする制御方法。
【請求項１１】
少なくとも１つのバッテリが装着されて、前記バッテリから電子機器に電源を供給するバッテリアダプタで用いられる制御プログラムであって、
前記バッテリアダプタが備えるコンピュータに、
前記バッテリに係るバッテリ情報を確認してバッテリ確認結果を得る確認ステップと、
前記確認ステップで得られたバッテリ確認結果が予め設定された基準を満たすか否かを判定する判定ステップと、
前記判定ステップによる判定結果に応じて前記バッテリアダプタの動作が安全であるかを決定する決定ステップと、
を実行させることを特徴とする制御プログラム。
【発明の詳細な説明】
【技術分野】
【０００１】
本発明は、バッテリアダプタ、その制御方法、および制御プログラムに関し、特に、複数のバッテリを用いて電子機器を動作させるためのアダプタにおけるバッテリ情報確認に関する。
【背景技術】
【０００２】
一般に、電子機器においては、その動作の安全性を保証するため電池などのバッテリに関する情報を確認し、その確認結果に問題がなければ動作を許可するようにしている。
【０００３】
例えば、電子機器において複数の電池装置が正規品であるか否かを判定する認証処理を行うようにしたものがある（特許文献１）。そして、特許文献１においては、複数の電池装置のうちの少なくとも１つが正規品であると、正規品であると判定した電池装置からの給電を許可する。一方、複数の電池装置のうちのいずれも正規品でないと判定すると、電子機器から正規品であるか否かについてユーザーに問い合わせるようにしている。
【先行技術文献】
【特許文献】
【０００４】
【特許文献１】特開２０１６−１４４１６０号公報
【発明の概要】
【発明が解決しようとする課題】
【０００５】
ところが、上述の特許文献１に記載の手法においては、電子機器において正規品であるか否かの電池情報の確認を行っている。このため、電子機器に給電するバッテリアダプタにおいては電池情報の確認を行うことができず、バッテリアダプタにおいてその動作の安全性を保障することができない。
【０００６】
そこで、本発明の目的は、電子機器に給電を行う際に、アダプタ自体の動作の安全性を保障することのできるバッテリアダプタ、その制御方法、および制御プログラムを提供することにある。
【課題を解決するための手段】
【０００７】
上記の目的を達成するため、本発明によるバッテリアダプタは、少なくとも１つのバッテリが装着されて、前記バッテリから電子機器に電源を供給するバッテリアダプタであって、前記バッテリに係るバッテリ情報を確認してバッテリ確認結果を得る確認手段と、前記確認手段によって得られたバッテリ確認結果が予め設定された基準を満たすか否かを判定する判定手段と、前記判定手段による判定結果に応じて前記バッテリアダプタの動作が安全であるかを決定する決定手段と、を有することを特徴とする。
【発明の効果】
【０００８】
本発明によれば、電子機器に給電を行う際に、バッテリアダプタ自体の動作の安全性を保障することができる。
【図面の簡単な説明】
【０００９】
【図１】本発明の第１の実施形態によるバッテリアダプタを電子機器ととともに示すブロック図である。
【図２】図１に示す電池アダプタにおける制御処理を説明するためのフローチャートである。
【図３】本発明の第２の実施形態による電池アダプタにおける制御処理を説明するためのフローチャートである。
【発明を実施するための形態】
【００１０】
以下に、本発明の実施の形態によるバッテリアダプタの一例について図面を参照して説明する。
【００１１】
［第１の実施形態］
図１は、本発明の第１の実施形態によるバッテリアダプタを電子機器ととともに示すブロック図である。
【００１２】
図示のように、電子機器１００には、複数の電池（バッテリ）を備えるアダプタ（以下電池アダプタと呼ぶ）１５０が接続され、電池アダプタ１５０から電子機器１００に電源が供給される。
【００１３】
電子機器１００は、本体マイコン１０１およびアダプタ接続部１０５を有しており、本体マイコン１０１は、アダプタ情報確認部（本体確認手段）１０２、電池確認結果受信部１０３、および電池固有番号記録部（本体記憶手段）１０４を備えている。
【００１４】
アダプタ情報確認部１０２は、電池アダプタ１５０に備えられた本体通信部１５２と通信を行って、電池アダプタ１５０に係る情報（アダプタ情報）を確認する。電池確認結果受信部１０３は、電池アダプタ１５０で行われた電池情報の確認結果を受信する。電池固有番号記録部１０４は、電池アダプタ１５０に備えられた電池固有番号取得部１５６で取得した電池の固有番号を記録する。アダプタ接続部１０５は、電子機器１００と電池アダプタ１５０との接続に用いられる。
【００１５】
電池アダプタ１５０は、アダプタマイコン１５１、通信切替部１６０、電源切替部１６１、充電部１６２、表示部１６３、および本体接続部１６４を備えている。さらに、電池アダプタ１５０は、第１の電池装着検知部１６５、第２の電池装着検知部１６６、第１の電池１６７、および第２の電池１６８を有している。
【００１６】
アダプタマイコン１５１は、本体通信部１５２、電池通信部１５３、電池情報確認部１５４、確認結果記録部１５５、電池固有情報取得部１５６、電池固有情報記録部１５７、充電実行判断部１５８、および表示制御部１５９を有している。なお、確認結果記録部１５５および電池固有情報記録部はアダプタ記憶部である。
【００１７】
アダプタマイコン１５１は、本体通信部１５２によって電子機器１００と通信を行い、電池アダプタ１５０に係るアダプタ情報の確認結果（アダプタ確認結果）、そして、電池情報確認の結果（バッテリ確認結果）を電子機器１００に送る。電池情報確認部１５４は電池通信部１５３によって、第１の電池装着検知部１６５および第２の電池装着検知部１６６と通信を行って、第１の電池１６７および第２の電池１６８に係る情報（電池情報：バッテリ情報）の確認を行う。そして、確認結果記録部１５５は電池情報確認結果を記録する。
【００１８】
電池固有番号取得部１５６は、電池通信部１５３によって第１の電池装着検知部１６５および第２の電池装着検知部１６６と通信を行って、第１の電池１６７および第２の電池１６８を識別する電池固有番号（固有情報）を取得する。そして、電池固有番号記録部１５７はこれら電池固有番号を記録する。なお、電池固有番号と電池情報確認結果とは対応づけて記録される。
【００１９】
充電実行判断部１５８は、電池情報確認結果およびアダプタ情報確認結果に基づいて充電を行うか否かを判断して、その結果に応じて充電部１６２を制御する。表示制御部１５９は、ユーザーに各種表示（充電状態やエラー状態など）を行うため表示部１６３の表示制御を行う。
【００２０】
通信切替部１６０は、アダプタマイコン１５１の制御下で、電池通信部１５３の通信経路を切り替える。これによって、電池通信部１５２は第１の電池装着検知部１６５および第２の電池装着検知部１６６のいずれかと通信を行う。
【００２１】
電源切替部１６１は、アダプタマイコン１５１の制御下で、電子機器１００に供給する電源を、第１の電池１６７および第２の電池１６８のいずれにするかを切り替える。また、電源切替部１６１は、アダプタマイコン１５１の制御下で、第１の電池１６７および第２の電池１６８のいずれに充電部１６２による充電を行うかを切り替える。
【００２２】
なお、本体接続部１６４は、電池アダプタ１５０を電子機器１００に接続する際に用いられる。また、第１の電池装着検知部１６５および第２の電池装着検知部１６６は、それぞれ第１の電池１６７および第２の電池１６８が電池アダプタ１５０に装着されたか否かを検知する。第１の電池１６７および第２の電池１６８の各々は、例えば、二次電池である。
【００２３】
充電用電源入力部１６９には、充電部１６２による充電に用いられる電源が接続される。この電源としては、例えば、ＵＳＢ給電が用いられるが、電源の種類は特に限定されない。
【００２４】
図２は、図１に示す電池アダプタにおける制御処理を説明するためのフローチャートである。なお、図示のフローチャートに係る処理は、アダプタマイコン１５１の制御下で行われる。
【００２５】
まず、アダプタマイコン１５１は、第１の電池装着検知部１６５によって電池アダプタ１５０に第１の電池１６７が装着されているか否かを判定する（ステップＳ１０１）。第１の電池１６７が装着されていると（ステップＳ１０１において、ＹＥＳ）、アダプタマイコン１５１は通信切替部１６０によって電池通信部１５３と第１の電池装着検知部１６５を介して第１の電池１６７との通信経路を確立する（ステップＳ１０２）。
【００２６】
続いて、電池固有番号取得部１５６は電池通信部１５３によって第１の電池１６７に記録された電池固有番号を第１の電池固有番号として取得する（ステップＳ１０３）。そして、アダプタマイコン１５１はステップＳ１０３で取得した第１の電池固有番号が電池固有番号記録部１５７に既に記録されているか否かを判定する（ステップＳ１０４）。
【００２７】
判定結果において第１の電池固有番号が記録済でないと（ステップＳ１０４において、ＮＯ）、電池情報確認部１５４は電池通信部１５３を介して第１の電池１６７に係る電池情報確認処理を行う（ステップＳ１０５）。そして、電池固有番号記録部１５７は、ステップＳ１０３で取得された第１の電池固有番号を記録する。さらに、確認結果記録部１５５はステップＳ１０５で行われた電池情報確認処理によって得られた電池情報確認結果（ここでは、第１の電池電池情報確認結果）を記録する（ステップＳ１０６）。
【００２８】
第１の電池固有番号が記録済であると（ステップＳ１０４において、ＹＥＳ）、アダプタマイコン１５１は、以前に電池情報確認処理が完了しているとして、後述するステップＳ１０７の処理に進む。これによって、電池アダプタにおいて電池情報確認処理が行われた電池については、再度電池情報確認処理を行う必要がなく、短時間で給電処理を行うことができる。
【００２９】
なお、第１の電池１６７が装着されていなければ（ステップＳ１０１において、ＮＯ）、アダプタマイコン１５１はステップＳ１０７の処理に進む。
【００３０】
次に、アダプタマイコン１５１は、第２の電池装着検知部１６６によって電池アダプタ１５０に第２の電池１６８が装着されているか否かを判定する（ステップＳ１０７）。第２の電池１６８が装着されていると（ステップＳ１０７において、ＹＥＳ）、アダプタマイコン１５１は通信切替部１６０によって電池通信部１５３と第２の電池装着検知部１６６を介して第２の電池１６８との通信経路を確立する（ステップＳ１０８）。
【００３１】
続いて、電池固有番号取得部１５６は電池通信部１５３によって第２の電池１６８に記録された電池固有番号を第２の電池固有番号として取得する（ステップＳ１０９）。そして、アダプタマイコン１５１はステップＳ１０９で取得した第２の電池固有番号が電池固有番号記録部１５７に既に記録されているか否かを判定する（ステップＳ１１０）。
【００３２】
第２の電池固有番号が記録済でないと（ステップＳ１１０において、ＮＯ）、電池情報確認部１５４は電池通信部１５３を介して第２の電池１６８に係る電池情報確認処理を行う（ステップＳ１１１）。そして、電池固有番号記録部１５７は、ステップＳ１０９で取得された第２の電池固有番号を記録する。さらに、確認結果記録部１５５はステップＳ１１１で行われた電池情報確認処理によって得られた電池情報確認結果（ここでは、第２の電池電池情報確認結果）を記録する（ステップＳ１１２）。
【００３３】
第２の電池固有番号が記録済であると（ステップＳ１１０において、ＹＥＳ）、アダプタマイコン１５１は、以前に第２の電池１６８に係る電池情報確認処理が完了しているとして、後述するステップＳ１１３の処理に進む。これによって、電池アダプタにおいて電池情報確認処理が行われた電池については、再度電池情報確認処理を行う必要がなく、短時間で給電処理を行うことができる。
【００３４】
なお、第２の電池１６８が装着されていなければ（ステップＳ１０７において、ＮＯ）、アダプタマイコン１５１はステップＳ１１３の処理に進む。
【００３５】
次に、アダプタマイコン１５１は、充電用電源入力部１６９に、充電部１６２において充電に用いる電源が入力されているか否かを判定する（ステップＳ１１３）。電源が入力されていれば（ステップＳ１１３において、ＹＥＳ）、アダプタマイコン１５１は、第１の電池情報確認結果および第２の電池情報確認結果に問題がないか否かを判定する（ステップＳ１１４）。ここでは、アダプタマイコン１５１は電池情報確認結果が予め設定された基準を満たすか否かを判定して、この判定結果に応じて電池アダプタ１５０の動作が安全であるかを決定する。
【００３６】
問題がなければ（ステップＳ１１４において、ＹＥＳ）、充電実行判断部１５８は、第１の電池情報確認結果および第１の電池情報確認結果に問題がないので安全性が確保できていると判断する。そして、充電実行判断部１５８は、充電部１６２を制御して第１の電池１６７および第２の電池１６８を充電する（ステップＳ１１５）。なお、アダプタマイコン１５１は充電切替部１６１によって第１の電池１６７および第２の電池１６８の充電経路の切替を行う。その後、アダプタマイコン１５１は制御処理を終了する。
【００３７】
第１の電池情報確認結果および第２の電池情報確認結果の少なくとも一方に問題があると（ステップＳ１１４において、ＮＯ）、アダプタマイコン１５１は表示制御部１５９によって表示部１６３に警告を表示してその旨を報知する（ステップＳ１１６）。その後、アダプタマイコン１５１は制御処理を終了する。
【００３８】
なお、電源が入力されていなければ（ステップＳ１１３において、ＮＯ）、アダプタマイコン１５１は制御処理を終了する。
【００３９】
このように、本発明の第１の実施形態では、電池アダプタにおいて電池の確認を行うようにしたので、電子機器に給電を行う際に、電池アダプタにおいてその動作の安全性を保障することができる。
【００４０】
なお、図１に示す例では、電池アダプタ１５１に２つの電池１６７および１６８を装着さした例について説明したが、電池は少なくとも１つあればよい。さらに、電池に問題があった場合の警告表示を、ステップＳ１１４の処理の後に行うようにしたが、必ずしもこのタイミングで警告表示を行う必要はない。例えば、ステップＳ１１２の処理の後にステップＳ１１４の処理を行うようにしてもよい。
【００４１】
［第２の実施形態］
続いて、本発明の第２の実施形態による電池アダプタの一例について説明する。なお、第２の実施形態による電池アダプタの構成は図１に示す電池アダプタと同様である。
【００４２】
図３は、本発明の第２の実施形態による電池アダプタにおける制御処理を説明するためのフローチャートである。なお、図３において、図２に示すフローチャートのステップと同一のステップについては同一の参照符号を付して説明を省略する。
【００４３】
ステップＳ１０３の処理の後、アダプタマイコン１５１はステップＳ１０３で取得した第１の電池固有番号が電池固有番号記録部１５７又は本体マイコン１０１の電池固有番号記録部１０４に既に記録されているか否かを判定する（ステップＳ２０４）。記録済であれば（ステップＳ２０４において、ＹＥＳ）、アダプタマイコン１５１はステップＳ１０７の処理に進む。一方、記録済でなければ（ステップＳ２０４において、ＮＯ）、アダプタマイコン１５１はステップＳ１０５の処理に進む。
【００４４】
ステップＳ１０５の処理の後、アダプタマイコン１５１は第１の電池固有番号を電池固有番号記録部１５７および電池固有番号記録部１０４に記録するとともに、第１の電池情報確認結果を確認結果記録部１５５に記録する（ステップＳ２０６）。そして、アダプタマイコン１５１はステップＳ１０７の処理に進む。
【００４５】
ステップＳ１０９の処理の後、アダプタマイコン１５１はステップＳ１０９で取得した第２の電池固有番号が電池固有番号記録部１５７又は本体マイコン１０１の電池固有番号記録部１０４に既に記録されているか否かを判定する（ステップＳ２１０）。記録済であれば（ステップＳ２１０において、ＹＥＳ）、アダプタマイコン１５１は後述するステップＳ２１３の処理に進む。一方、記録済でなければ（ステップＳ２１０において、ＮＯ）、アダプタマイコン１５１はステップＳ１１１の処理に進む。
【００４６】
ステップＳ１１１の処理の後、アダプタマイコン１５１は第２の電池固有番号を電池固有番号記録部１５７および電池固有番号記録部１０４に記録するとともに、第２の電池情報確認結果を確認結果記録部１５５に記録する（ステップＳ２１２）。そして、アダプタマイコン１５１はステップＳ２１３の処理に進む。なお、第２の電池１６８が装着されていないと（ステップＳ１０７において、ＮＯ）、アダプタマイコン１５１はステップＳ２１３の処理に進む。
【００４７】
続いて、アダプタマイコン１５１は、本体接続部１６４によって電池アダプタ１５０に電子機器１００が装着されているか否かを判定する（ステップＳ２１３）。電池アダプタ１５０に電子機器１００が装着されていないと（ステップＳ２１３において、ＮＯ）、アダプタマイコン１５１は待機する。
【００４８】
一方、電池アダプタ１５０に電子機器１００が装着されていると（ステップＳ２１３において、ＹＥＳ）、本体マイコン１０１はアダプタ情報確認部１０２によって本体通信部１５２と通信を行って、電池アダプタ１５０に係る情報を確認する確認処理を行う（ステップＳ２１４）。この処理によって、電子機器１００は電池アダプタ１５０の安全性を確認することができる。
【００４９】
続いて、本体マイコン１０１はアダプタ情報確認部１０２によって電池アダプタ１５０に係る情報の確認結果（アダプタ情報確認結果）に問題ないか否かを判定する（ステップＳ２１５）。ここでは、本体マイコン１０１は、例えば、装着された電池アダプタ１５０が電子機器１００に適合するか否かを判定する。
【００５０】
アダプタ情報確認結果に問題がなければ（ステップＳ２１５において、ＹＥＳ）、本体マイコン１０１はアダプタマイコン１５１にその旨を通知する。これによって、アダプタマイコン１５１は電池通信部１５３によって、第１の電池情報確認結果および第２の電池情報確認結果を電池確認結果受信部１０３に送信する（ステップＳ２１６）。
【００５１】
この処理によって、電子機器１００が第１の電池１６７および第２の電池１６８の情報確認を行う時間を省くことができ、短時間に給電を行うことができる。
【００５２】
ステップＳ２１６の処理の後、アダプタマイコン１５１はステップＳ１１３の処理に進む。電源が入力されていれば（ステップＳ１１３において、ＹＥＳ）、アダプタマイコン１５１は第１の電池情報確認結果および第２の電池情報確認結果とアダプタ情報確認結果について問題がないか否かを判定する（ステップＳ２１８）。全てに問題がなければ（ステップＳ２１８において、ＹＥＳ）、アダプタマイコン１５１はステップＳ１１５の処理に進む。
【００５３】
一方、少なくとも１つに問題があると（ステップＳ２１８において、ＮＯ）、アダプタマイコン１５１は表示制御部１５９によって表示部１６３に警告を表示する（ステップＳ２２０）。そして、アダプタマイコン１５１は制御処理を終了する。
【００５４】
なお、アダプタ情報確認結果に問題があれば（ステップＳ２１５において、ＮＯ）、本体マイコン１０１はアダプタマイコン１５１にその旨を通知する。これによって、アダプタマイコン１５１は、ステップＳ２２０の処理に進んで、その旨を表示部に警告表示する。
【００５５】
このように、本発明の第２の実施形態では、電池アダプタ１５１において電池情報確認を行って、電子機器が接続されるとその確認結果を電子機器に送信する。これによって、電池アダプタの動作の安全性と電子機器を接続した際の安全性を短時間で確認することができる。
【００５６】
なお、電池又はアダプタに問題があった場合の警告表示を、ステップＳ２１８の処理の後に行うようにしたが、必ずしもこのタイミングで警告表示を行う必要はない。例えば、ステップＳ２１４の処理の後にステップＳ２１８の処理を行うようにしてもよい。
【００５７】
以上、本発明について実施の形態に基づいて説明したが、本発明は、これらの実施の形態に限定されるものではなく、この発明の要旨を逸脱しない範囲の様々な形態も本発明に含まれる。
【００５８】
例えば、上記の実施の形態の機能を制御方法として、この制御方法を電池アダプタに実行させるようにすればよい。また、上述の実施の形態の機能を有するプログラムを制御プログラムとして、当該制御プログラムを電池アダプタが備えるコンピュータに実行させるようにしてもよい。なお、制御プログラムは、例えば、コンピュータに読み取り可能な記録媒体に記録される。
【００５９】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００６０】
１００  電子機器
１０１  本体マイコン
１５０  電池アダプタ（バッテリアダプタ）
１５１  アダプタマイコン
１６０  通信切替部
１６１  電源切替部
１６２  充電部
１６３  表示部
１６７，１６８  電池
１６９  充電用電源入力部
【図１】
2019161895.tif 000003
【図２】
2019161895.tif 000004
【図３】
2019161895.tif 000005